(57)【要約】【課題】工具の落下を防ぐことができ、構造が簡単で、工具収納袋の任意位置及び異なる工具収納袋にも取り付けることが可能な工具収納袋用工具ホルダーを提供すること。【解決手段】工具収納袋に取り付けられる補助ホルダーであって、基部２と、基部２に固定され、上下面が開口した工具差し込み筒部３と、工具差し込み筒部３の内部に設置されて、工具を弾圧挟持する弾圧体４と、基部２の背面側に設けられ、工具収納袋に着脱可能に係止される係止具５とを備える。【選択図】図４
0003202485.tif 000002
【実用新案登録請求の範囲】
【請求項１】
工具収納袋に取り付けられる補助ホルダーであって、
基部と、
前記基部に固定され、上下面が開口した工具差し込み筒部と、
前記工具差し込み筒部の内部に設置されて、工具を弾圧挟持する弾圧体と、
前記基部の背面側に設けられ、前記工具収納袋に着脱可能に係止される係止具とを備えたことを特徴とする工具収納袋用工具ホルダー。
【請求項２】
前記弾圧体は、前記工具差し込み筒部の両側壁上端から下方に向けて延びる一対の板バネより成り、これら一対の板バネは、上端間の距離及び下端間の距離が中間部間の距離よりも広くなるよう傾斜或いは湾曲していることを特徴とする請求項１に記載の工具収納袋用工具ホルダー。
【請求項３】
前記係止具は、前記工具収納袋の開口端部を挟持する断面逆Ｕ字形のクリップであることを特徴とする請求項１又は２に記載の工具収納袋用工具ホルダー。
【請求項４】
複数の工具差し込み筒部が互いに近接して並設されていることを特徴とする請求項１〜３のいずれかに記載の工具収納袋用工具ホルダー。
【請求項５】
複数の工具差し込み筒部が互いに間隔をあけて並設されていることを特徴とする請求項１〜３のいずれかに記載の工具収納袋用工具ホルダー。
【請求項６】
前記基部が背面板と正面板とから成り、前記背面板と正面板の間に、背面又は正面と上下面が開口する断面コ字形のバネ支持板を複数並べて前記正面板又は背面板に固定し、前記バネ支持板と基部によって前記工具差し込み筒部を形成し、前記背面板の背面側に前記係止具を設けたことを特徴とする請求項４又は５に記載の工具収納袋用工具ホルダー。
【考案の詳細な説明】
【技術分野】
【０００１】
本考案は、腰ベルト等に吊り下げて使用する工具収納袋に着脱可能に取り付けられ、ドライバー等の工具を保持する工具収納袋用工具ホルダーに関する。
【背景技術】
【０００２】
耐久性が要求される工具収納袋は、皮革や合成樹脂製の厚手の織布を素材とし、ポケット状或いは筒状の工具ホルダー部に工具を差し込めるようになっている。
ところが、材質上、工具ホルダー部には伸縮性が無いため、工具を保持するのが難しく、作業員が姿勢を変えたりすると、工具が落下する恐れがあった。
そこで、従来、工具の落下を防止する装置が種々提案されている。
【０００３】
例えば、特許文献１には、工具に連結される落下防止索と、落下防止索をまとめる胴巻と、胴巻から引き出された落下防止索を胴巻に収容されるよう付勢する渦巻きばねを備えた工具落下防止具が開示されている。
特許文献２には、ポケットの内側に、鉄製の工具を吸着する磁石を取り付けた工具ホルダーが記載されている。
また、特許文献３には、腰ベルト装着部に、工具のヘッド部を支持する工具上保持部を設け、工具上保持部の下方に、工具の柄の振れを規制する柄前側振れ規制部及び柄後ろ側振れ規制部を設け、柄前側振れ規制部及び柄後ろ側振れ規制部に樽型形態のコイルスプリング部材を、柄の出入り口を狭めるように回転自在に軸支した工具ホルダーが記載されている。
【先行技術文献】
【特許文献】
【０００４】
【特許文献１】特開２００３-７４１９０号公報
【特許文献２】特開２０１５-１６０３０７号公報
【特許文献３】特開２０１５-１７８１４０号公報
【考案の概要】
【考案が解決しようとする課題】
【０００５】
しかし、特許文献１に記載された工具落下防止具は、構造が複雑で嵩張り、工具収納袋へ補助的に取り付けるには適していない。
特許文献２に記載の工具ホルダーは、工具を保持する力が弱く、工具の形状や大きさの違いに対応するには、大量の磁石を設けなければならない。
また、特許文献３に記載された工具ホルダーは、構造が複雑であるばかりか、特殊な形状の工具用に限定されてしまう。
本考案が解決しようとする課題は、上述の問題を解決し、工具の落下を防ぐことができ、構造が簡単で、工具収納袋の任意の位置及び異なる工具収納袋にも取り付けることが可能な工具収納袋用工具ホルダーを提供することにある。
【課題を解決するための手段】
【０００６】
本考案の工具収納袋用工具ホルダーは、工具収納袋に取り付けられる補助ホルダーであって、基部と、前記基部に固定され、上下面が開口した工具差し込み筒部と、前記工具差し込み筒部の内部に設置されて、工具を弾圧挟持する弾圧体と、前記基部の背面側に設けられ、前記工具収納袋に着脱可能に係止される係止具とを備える。
【０００７】
前記弾圧体が、前記工具差し込み筒部の両側壁上端から下方に向けて延びる一対の板バネより成り、これら一対の板バネは、上端間の距離及び下端間の距離が中間部間の距離よりも広くなるよう傾斜或いは湾曲しているのが望ましい。
前記係止具は、前記工具収納袋の開口端部を挟持する断面逆Ｕ字形のクリップとすることがある。
複数の工具差し込み筒部が互いに近接して並設されていることがある。
或いは、複数の工具差し込み筒部が互いに間隔をあけて並設されていることもある。
前記基部が背面板と正面板とから成り、前記背面板と正面板の間に、背面又は正面と上下面が開口する断面コ字形のバネ支持板を複数並べて前記正面板又は背面板に固定し、前記バネ支持板と基部によって前記工具差し込み筒部を形成し、前記背面板の背面側に前記係止具を設けてもよい。
【考案の効果】
【０００８】
請求項１に係る考案によれば、工具収納袋に取り付けるだけで、工具を工具差し込み筒部内に整然と区画して収納することができ、収納工具差し込み筒部に挿入した工具は弾圧体によって挟持されるので、作業中に工具が落下する心配もない。
係止具を介して工具収納袋に着脱可能に取り付けられるので、工具収納袋の任意の位置に取り付けることが可能であり、工具収納袋が傷んだ場合にも、他の工具収納袋に付け替えて使用できる。
【０００９】
請求項２に係る考案によれば、工具の出し入れが容易で、工具を確実に保持でき、長期間使用しても素材の劣化等により保持力が低下しない。
請求項３に係る考案によれば、工具収納袋の開口縁に引っ掛けるだけで簡単取り付けることができる。
請求項４に係る考案によれば、持ち手が細い複数の工具をコンパクトに収納できる。
請求項５に係る考案によれば、持ち手が太い複数の工具を工具差し込み筒部に挿入できる。
請求項６に係る考案によれば、構造が簡単で製造し易く、強靭で壊れにくい。
【図面の簡単な説明】
【００１０】
【図１】本考案の実施例１を示す工具ホルダーの斜視図である。
【図２】本考案の実施例１を示す工具収納袋及び工具ホルダーの斜視図である。
【図３】本考案の実施例１を示す工具ホルダーの平面図である。
【図４】図１のａ−ａ線断面図である。
【図５】図１のｂ−ｂ線断面図である。
【図６】本考案の実施例１に係る工具差し込み筒部及び弾圧体の工具収納時における断面図である。
【図７】本考案の実施例２に係る工具差し込み筒部及び弾圧体の断面図である。
【図８】本考案の実施例３を示す工具ホルダーの平面図である。
【考案を実施するための形態】
【００１１】
以下、本考案の実施例を図面に基づいて詳細に説明する。図１〜図６は、本考案の実施例１を示す。
本考案は、図２に示すように、工具収納袋Ａに取り付けられる補助用の工具ホルダー１に関する。工具収納袋Ａは、上面が開口し、背面側に腰ベルト通し部Ｂを有する一般的なものである。
工具ホルダー１は、鋼板を素材とし、図１及び図３に示すように、基部２と、複数の（実施例１では５個の）工具差し込み筒部３と、複数対の（実施例１では５対の）弾圧体４と、係止具５とを備える。
【００１２】
基部２は、背面板６と正面板７から成る。
背面板６は、この実施例において高さ３０ｍｍ、幅１７０ｍｍ程度の横長の平板である。正面板７は、背面板６と同じ高さ及び幅を有し、両端から２０ｍｍ程度の位置を正面側へ折り曲げ、奥行き約１０ｍｍの段部８を形成してある。
そして、背面板６と正面板７とは、段部８よりも側方の両端部を重ね合わせて溶接することにより結合され、両側の段部８間において、背面板６と正面板７の間には、工具差し込み筒部３を収容するための空間が形成される。
【００１３】
工具差し込み筒部３は、基部２とバネ支持板９によって形成され、各工具差し込み筒部３の内部に弾圧体４が設置される。
バネ支持板９は、背面及び上下面が開口した断面コ字形をなし、高さは、基部２と同じであり、奥行きは、基部２の段部８の奥行きとほぼ等しく、幅は、両側の段部８間の距離を５等分した長さとしてある。
また、バネ支持板９は、開口した背面部分を背面板６に向け、正面部分を正面板７に溶接（スポット溶接など）して基部２に固定される。これにより、バネ支持板９の背面部分は背面板６で閉鎖され、工具差し込み筒部３が形成される。
【００１４】
弾圧体４は、バネ支持板９の両側面の奥行きとほぼ同じ幅で、バネ支持板９の高さの２倍よりもやや長い一対の板バネ１０，１０より成る。板バネ１０は、図４に示すように、長さの中間部を上端として折り返され、バネ支持板９の両側壁上端に上方から引っ掛けて取り付けられる。
板バネ１０の外側半部は、バネ支持板９の側壁外周面に巻き付けられて、側壁下端に係合される。板バネ１０の内側半部（対向する半部）は、バネ支持板９の両側壁上端から下方に向かって延び、左右の板バネ１０の上端間の距離Ｌ１及び下端間の距離Ｌ２が中間部間の距離Ｌ３よりも広くなるよう傾斜している。
この弾圧体４が予め取り付けられた複数のバネ支持板９を、背面板６と正面板７の間に互いに近接した状態で固定し、複数の工具差し込み筒部３を互いに近接して並設する（図３）。
【００１５】
係止具５は、図５に示すように、上端が頂部となる断面逆Ｕ字形のクリップより成り、頂部よりも正面側の固定片１１は平板状であるが、頂部よりも背面側の圧接片１２は高さ方向中間部が固定片１１に接近するよう湾曲している。
また、係止具５は、固定片１１を背面板６と正面板７の間に挟んで溶接することにより、基部２の両端部の背面側に設けられる。
【００１６】
この工具ホルダー１を工具収納袋Ａに取り付けるには、図２に示すように、係止具５を工具収納袋Ａの開口縁に上方から引っ掛けて、係止具５の圧接片１２と基部２の端部で開口端部を挟み付ける。
図６に示すように、工具収納袋Ａの正面側に向いた工具差し込み筒部３にドライバー等の工具Ｃを上方から差し込むと、一本一本の工具Ｃが整然と区画された状態で収納される。また、工具Ｃの下部は弾圧体４で弾圧挟持されるので、作業中に工具Ｃが落下する心配が無い。一対の板バネ１０,１０の上端間及び下端間は広がっているので、工具Ｃを容易に出し入れすることができる。
実施例１の工具ホルダー１は、工具差し込み筒部３が互いに近接して並設されているので、持ち手の径が細い工具Ｃを収納するのに適している。
【００１７】
図７は、本考案の実施例２を示す。
実施例２では、一対の板バネ１０，１０の内側半部が、対向する側に凸となるよう湾曲しており、上端間の距離Ｌ１及び下端間の距離Ｌ２が中間部間の距離Ｌ３よりも広くなっている。
その他の構造は実施例１と変わらない。
【００１８】
図８は、本考案の実施例３を示す。
実施例３では、基部２の正面板７とバネ支持板９を一体に形成してある。即ち、一枚の板を折り曲げて、互いに間隔をあけて配置された複数のバネ支持板９と、バネ支持板９どうしを連結する正面板７を形成する。
そして、バネ支持板９の両側壁に板バネ１０を取り付けたあと、背面板６でバネ支持板９の背面を塞ぎ、背面板６及び正面板７の両端部を溶接する。
実施例３の工具ホルダー１は、工具差し込み筒部３が互いに間隔をあけて並設されているので、持ち手の径が太い工具Ｃであっても、相互にぶつかりあわずに工具差し込み筒部３へ差し込むことができる。
その他の構造は実施例１又は実施例２と同様である。
【００１９】
なお、本考案の具体的な構造は、上記実施例に限定されない。
例えば、実施例１のような独立した複数のバネ支持板を、背面板と正面板の間に互いに間隔をあけて配置してもよい。
工具差し込み筒部の寸法や数、板バネのバネ係数、一対の板バネ間の距離等は、保持しようとする工具の種類や径によって適宜変更できる。
工具差し込み筒部は一つだけであっても良い。この場合、バネ支持板と平板より成る基部とを一体に連続させて角筒状の工具差し込み筒部を形成し、基部の背面に係止具を固定する。
【００２０】
角筒状のバネ支持板で工具差し込み筒部を構成し、複数の工具差し込み筒部を平板状の基部の正面に固定しても良い。
板バネの挟持面に滑り止めのゴムシートを貼り付けると、工具の落下を防ぐ効果がさらに高まる。
弾圧体は、板バネではなく、対向する側に凸となるよう湾曲した一対のゴム片とすることもできる。
工具差し込み筒部の一方の側壁のみに弾圧体を取り付け、挿し込まれた工具を他方の側壁と弾圧体によって工具を挟持することも可能である。
係止具は、クリップではなく、スナップボタン付きの帯片とし、工具収納袋のベルトに巻き付けて取り付けるようにしてもよい。
【符号の説明】
【００２１】
Ａ    工具収納袋
Ｂ    腰ベルト通し部
Ｃ    工具
１    工具ホルダー
２    基部
３    工具差し込み筒部
４    弾圧体
５    係止具
６    背面板
７    正面板
８    段部
９    バネ支持板
１０  板バネ
１１  固定片
１２  圧接片
【図１】
0003202485.tif 000003
【図２】
0003202485.tif 000004
【図３】
0003202485.tif 000005
【図４】
0003202485.tif 000006
【図５】
0003202485.tif 000007
【図６】
0003202485.tif 000008
【図７】
0003202485.tif 000009
【図８】
0003202485.tif 000010